(57)【要約】      （修正有）【課題】電磁気の軌道エネルギーはどうして光速で走るエネルギーに成るか。電磁気が秒速3×108mで進むときのエネルギーはいくらか。【解決手段】光速はミクロの目で見ると、進む距離×エネルギー＝1,233×10-41Jmが繋ぎ合ってできている。電磁気の1回転の軌道エネルギーは、進む距離×エネルギー＝1.233×10-41Jmです。電磁気は電子のラブの場合、1秒間に（7.96×107）2回公転する。電磁気の1秒間の軌道エネルギーは、1,233×10-41Jm×（7.96×107）2＝7.812×10-26Jmです。電磁気が秒速3×108mで進むときのエネルギーをｘJとする。電磁気の1秒間の軌道エネルギー＝1秒間に進む距離×エネルギー＝7.812×10-26Jm＝3×108m×ｘ。ｘ＝7.812×10-26Jm÷（3×108m）＝2.604×10-34J。電磁気が秒速3×108mで進むときのエネルギーは2.604×10-34Jです。【選択図】図１
2019161709.tif 000002
【特許請求の範囲】
【請求項１】
電磁気の軌道エネルギーはどうして光速で走るエネルギーに成るか。電磁気が秒速3×108mで進むときのエネルギーはいくらか。
軌道エネルギーは回転するときの軌道×エネルギーです。これが直進する時、エネルギー×進む距離に成ります。直進する時、進む距離×エネルギー＝1.233×10-41Jmが、光速であるということです。
光速はミクロの目で見ると、進む距離×エネルギー＝1,233×10-41Jmが繋ぎ合ってできている。
電磁気の進む距離は1秒間に3×108mです。
電磁気の1回転の軌道エネルギーは、進む距離×エネルギー＝1.233×10-41Jmです。
電磁気は1秒間に、電子のラブの場合、1秒間に（7.96×107）2回公転する。
電磁気の1秒間の軌道エネルギーは、1,233×10-41Jm×（7.96×107）2＝7.812×10-26Jmです。
電磁気の1秒間の軌道エネルギーは7.812×10-26Jmですから、電磁気の1秒間の軌道エネルギー＝進む距離×エネルギー＝7.812×10-26Jmです。
電磁気が秒速3×108mで進むときのエネルギーはいくらか。
電磁気が秒速3×108mで進むときのエネルギーをｘJとする。
電磁気の1秒間の軌道エネルギー＝進む距離×エネルギー＝7.812×10-26Jm＝3×108m×ｘ
ｘ＝7.812×10-26Jm÷（3×108m）＝2.604×10-34J
電磁気が秒速3×108mで進むときのエネルギーは2.604×10-34Jです。
1個の電磁気のエネルギーは2.604×10-34Jで、秒速3×108mで走る。
【発明の詳細な説明】
【技術分野】
【０００１】
本発明は、電磁気の軌道エネルギーはどうして光速で走るエネルギーに成るか。電磁気が秒速3×108mで進むときのエネルギーはいくらかに関するものである。
【背景技術】
【０００２】
2018年3月5日に提出した、特願2018-038275、「電子のラブは導線の中を約3×108Kmで走り、光子は空気中を約3×108Kmで走る。この原理」の「請求項５」に於いて、次のように記した。
「請求項５」
光子（電磁気）はどうして光速で走るか。
光子（電磁気）のエネルギーは其々異なる。そして、ｍ＝ｃ2÷Eで求められる光子（電磁気）の質量は其々異なる。この事によって、光子（電磁気）の比重も其々異なる。それ故、光子（電磁気）のエネルギーや光子（電磁気）の質量や光子（電磁気）の比重から、どうして光子（電磁気）は光速で走るかの答えはでて来ない。
電磁気に共通の事は、電磁気の軌道エネルギーは1.233×10-41Jmである事です。
それで、軌道エネルギーが1.233×10-41Jmである物は光速で走る。
光子（電磁気）は軌道エネルギーが1.233×10-41Jmである故に光速で走る。
【先行技術文献】
【特許文献】
【０００３】
【特許文献１】特願2018-038275
【発明の概要】
【発明が解決しようとする課題】
【０００４】
１．    電磁気の軌道エネルギーはどうして光速で走るエネルギーに成るか。電磁気が秒速3×108mで進むときのエネルギーはいくらか。
【課題を解決するための手段】
【０００５】
電磁気の1秒間の軌道エネルギーは、1,233×10-41Jm×（7.96×107）2＝7.812×10-26Jmです。
電磁気が秒速3×108mで進むときのエネルギーをｘJとする。
電磁気の1秒間の軌道エネルギー＝進む距離×エネルギー＝7.812×10-26Jm＝3×108m×ｘ
ｘ＝7.812×10-26Jm÷（3×108m）＝2.604×10-34J
電磁気が秒速3×108mで進むときのエネルギーは2.604×10-34Jです。
【発明の効果】
【０００６】
電磁気が秒速3×108mで進むときのエネルギーは2.604×10-34Jです。
【図面の簡単な説明】
【０００７】
【図１】図１は電磁気が1回転するときの軌道エネルギー＝進む距離×エネルギー＝1.233×10-41Jm電磁気は1秒間に、電子のラブの場合、1秒間に（7.96×107）2回公転する。電磁気の1秒間の軌道エネルギーは、1,233×10-41Jm×（7.96×107）2＝7.812×10-26Jmです。電磁気が秒速3×108mで進むときのエネルギーをｘJとする。電磁気の1秒間の軌道エネルギー＝進む距離×エネルギー＝7.812×10-26Jm＝3×108m×ｘｘ＝7.812×10-26Jm÷（3×108m）＝2.604×10-34J電磁気が秒速3×108mで進むときのエネルギーは2.604×10-34Jです。
【発明を実施するための形態】
【０００８】
１．    電磁気の軌道エネルギーはどうして光速で走るエネルギーに成るか。電磁気が秒速3×108mで進むときのエネルギーはいくらか。
軌道エネルギーは回転するときの軌道×エネルギーです。これが直進する時、エネルギー×進む距離に成ります。直進する時、進む距離×エネルギー＝1.233×10-41Jmが、光速であるということです。
光速はミクロの目で見ると、進む距離×エネルギー＝1,233×10-41Jmが繋ぎ合ってできている。
電磁気の進む距離は1秒間に3×108mです。
電磁気の1回転の軌道エネルギーは、進む距離×エネルギー＝1.233×10-41Jmです。
電磁気は1秒間に、電子のラブの場合、1秒間に（7.96×107）2回公転する。
電磁気の1秒間の軌道エネルギーは、1,233×10-41Jm×（7.96×107）2＝7.812×10-26Jmです。
電磁気の1秒間の軌道エネルギーは7.812×10-26Jmですから、電磁気の1秒間の軌道エネルギー＝進む距離×エネルギー＝7.812×10-26Jmです。
電磁気が秒速3×108mで進むときのエネルギーはいくらか。
電磁気が秒速3×108mで進むときのエネルギーをｘJとする。
電磁気の1秒間の軌道エネルギー＝進む距離×エネルギー＝7.812×10-26Jm＝3×108m×ｘ
ｘ＝7.812×10-26Jm÷（3×108m）＝2.604×10-34J
電磁気が秒速3×108mで進むときのエネルギーは2.604×10-34Jです。
1個の電磁気のエネルギーは2.604×10-34Jで、秒速3×108mで走る。
【産業上の利用可能性】
【０００９】
素粒子を知ることは産業の発展に役立つ。
【符号の説明】
【００１０】
１    1個の電磁気
２    電磁気が1回転するときの進む距離×エネルギー＝軌道エネルギー＝1.233×10-41Jm
３    電磁気の1秒間の軌道エネルギー＝1秒間の回転数×1回転の軌道エネルギー＝（7.96×107）2×1.233×10-41Jm＝7.812×10-26Jm
４    電磁気の1秒間の進む距離×エネルギー＝電磁気の1秒間の軌道エネルギー＝7.812×10-26Jm＝1秒間に進む距離×エネルギー＝3×108m×2.604×10-34J
【図１】
2019161709.tif 000003